(57)【特許請求の範囲】
【請求項１】
本体ケースと、同本体ケースに内装されたコンプレッサーとを有し、不使用時には携帯して持ち運びされ、使用時にはコンプレッサーと配管との間をホースで接続し、同配管内に水を流通させながらコンプレッサーからホースを介して圧縮空気を送り込むことにより当該配管の洗浄を行うように構成された携帯用配管洗浄装置であって、
前記本体ケースは、上面に開口部を有する有底箱状をなし、その内部にコンプレッサーを収容する収容体と、下面に開口部を有する有蓋箱状をなし、収容体の開口部を収容体の外方から閉塞するように収容体に開閉可能に取付けられた外蓋体と、当該収容体の開口部を収容体の内方から閉塞するように開口部の内側に取付けられた内蓋体とを備えるとともに、当該内蓋体は、コンプレッサーの駆動を操作するための収容体に固定された操作盤と、収容体の内部に収容されたコンプレッサーを点検するための点検用開口を閉塞するように着脱可能に取付けられた点検蓋とで構成されることを特徴とする携帯用配管洗浄装置。
【請求項２】
前記点検蓋に使用時にコンプレッサーを空冷するための空冷ファンを取付けることにより、点検用開口を閉塞する機能に加え、さらにコンプレッサーを空冷する機能を備えた空冷用蓋体を構成することを特徴とする請求項１に記載の携帯用配管洗浄装置。
【請求項３】
前記点検蓋に使用時にコンプレッサーを遠隔操作するコントローラーを接続するためのコネクタを取付けることにより、点検用開口を閉塞する機能に加え、さらにコンプレッサーを遠隔操作する機能を備えた遠隔操作用蓋体を構成することを特徴とする請求項１に記載の携帯用配管洗浄装置。
【発明の詳細な説明】
【０００１】
【発明の属する技術分野】
本発明は、使用者が携帯して洗浄現場まで持ち運び、同洗浄現場で水道管等の配管内に圧縮空気を送り込むことによって同配管の洗浄を行うように構成された携帯用配管洗浄装置に関するものである。
【０００２】
【従来の技術】
従来、上記のような配管内に圧縮空気を送り込んで洗浄を行う配管洗浄装置としては、コンプレッサーと、同コンプレッサーを内装した状態で密閉された箱状をなすケースとから構成されたものが挙げられる。このケースの外面には、例えばタイマー、電源スイッチ等のようなコンプレッサーを操作するための操作盤が設けられるとともに、コンプレッサーからの圧縮空気を送り出すための吐出管が突設されている。
【０００３】
上記の配管洗浄装置を使用するときには、まず配管洗浄装置を洗浄現場まで移送した後、吐出管と洗浄対象となる配管との間をホースで接続し、この状態で操作盤を操作してコンプレッサーを駆動させる。すると、コンプレッサー内で生成された圧縮空気が吐出管からホースを介して配管内に送り込まれることにより、配管の内壁に付着した油分、錆、塵埃等の異物が圧縮空気の衝撃波で除去され、配管の洗浄が行われる。
【０００４】
【発明が解決しようとする課題】
ところが、上記従来の配管洗浄装置においては、圧縮空気の流量に余裕を持たせるため、洗浄に必要十分な量よりも多くの圧縮空気を得ることができるように、コンプレッサーには比較的大型のものが使用されており、その重量が嵩んでしまっていた。そして、この配管洗浄装置を洗浄現場まで移送するため、同配管洗浄装置の底面にキャスターが設けられたり、配管洗浄装置を台車に載せる等の対応がなされているが、使用者が携帯し、気軽に持ち運びできるとは言い難いという問題があった。さらに、この配管洗浄装置のケースはコンプレッサーを内装した状態で密閉されており、コンプレッサーを点検し、例えば注油等する場合、その都度ケースを分解し、コンプレッサーを取り出さなければならない。従って、点検作業が繁雑で長い時間を必要とするという問題があった。
【０００５】
この発明は、このような従来技術に存在する問題点に着目してなされたものである。その目的とするところは、使用者が携帯し、容易に持ち運びすることができるとともに、コンプレッサーの点検作業を簡易かつ迅速に行うことができる携帯用配管洗浄装置を提供することにある。
【０００６】
【課題を解決するための手段】
上記の目的を達成するために、請求項１に記載の携帯用配管洗浄装置の発明は、本体ケースと、同本体ケースに内装されたコンプレッサーとを有し、不使用時には携帯して持ち運びされ、使用時にはコンプレッサーと配管との間をホースで接続し、同配管内に水を流通させながらコンプレッサーからホースを介して圧縮空気を送り込むことにより当該配管の洗浄を行うように構成された携帯用配管洗浄装置であって、前記本体ケースは、上面に開口部を有する有底箱状をなし、その内部にコンプレッサーを収容する収容体と、下面に開口部を有する有蓋箱状をなし、収容体の開口部を収容体の外方から閉塞するように収容体に開閉可能に取付けられた外蓋体と、当該収容体の開口部を収容体の内方から閉塞するように開口部の内側に取付けられた内蓋体とを備えるとともに、当該内蓋体は、コンプレッサーの駆動を操作するための収容体に固定された操作盤と、収容体の内部に収容されたコンプレッサーを点検するための点検用開口を閉塞するように着脱可能に取付けられた点検蓋とで構成されることを特徴とするものである。
【０００７】
請求項２に記載の携帯用配管洗浄装置の発明は、請求項１に記載の発明において、前記点検蓋に使用時にコンプレッサーを空冷するための空冷ファンを取付けることにより、点検用開口を閉塞する機能に加え、さらにコンプレッサーを空冷する機能を備えた空冷用蓋体を構成することを特徴とするものである。
【０００８】
請求項３に記載の携帯用配管洗浄装置の発明は、請求項１に記載の発明において、前記点検蓋に使用時にコンプレッサーを遠隔操作するコントローラーを接続するためのコネクタを取付けることにより、点検用開口を閉塞する機能に加え、さらにコンプレッサーを遠隔操作する機能を備えた遠隔操作用蓋体を構成することを特徴とするものである。
【０００９】
【発明の実施の形態】
以下、この発明の実施形態を、図面に基づいて詳細に説明する。
図３（ａ）は、実施形態の携帯用配管洗浄装置において、外蓋体を閉塞した状態を示す正面図であり、図３（ｂ）はその側面図である。当該携帯用配管洗浄装置は、アルミニウム合金、鉄、ステンレス鋼等の金属を用いて長四角箱状に形成された本体ケース１１と、同本体ケース１１に内装されたコンプレッサー１２とを備えている。
【００１０】
本体ケース１１は、上面に開口部を有する有底長四角箱状の収容体１３を有しており、同収容体１３の内部にコンプレッサー１２が収容され、固定されている。当該収容体１３の背面上端には下面に開口する有蓋長四角箱状の外蓋体１４が蝶番を介して連結されており、図３（ｂ）中に実線及び二点鎖線で示すように、当該外蓋体１４は蝶番を中心に収容体１３に対して開閉可能に構成されている。そして、携帯用配管洗浄装置の不使用時には閉塞状態とされた外蓋体１４によって収容体１３の開口部が外方から閉塞されている。
【００１１】
本体ケース１１の正面には、外蓋体１４に取着されたフック３１ａと収容体１３に取着されたリング３１ｂとよりなる一対のロック金具３１が取付けられている。同ロック金具３１においては、フック３１ａにリング３１ｂを掛止してロックすることにより、携帯用配管洗浄装置の不使用時に収容体１３に対して外蓋体１４を閉塞状態に維持するように構成されている。また、外蓋体１４の上面にはハンドル部材３２が取付けられており、前記ロック金具３１で外蓋体１４を閉塞状態に維持しながらハンドル部材３２を使用者が手で把持することにより、不使用時に本体ケース１１を容易に持ち運びすることが可能である。
【００１２】
さらに、収容体１３の両側外面にはそれぞれ環状のバックル３３が回動可能に取付けられている。これらバックル３３には本体ケース１１の上方を迂回するようにして図示しない帯状のベルトの両端を接続することができるようになっている。そして、同ベルトを接続することにより、不使用時に使用者が本体ケース１１をその肩に掛けた状態で持ち運びすることができるように構成されている。
【００１３】
図１は、外蓋体１４を開放状態とした場合の携帯用配管洗浄装置を示す平面図であり、図２は図１の２−２線における断面図である。前記収容体１３の開口部１３ａの内側には内蓋体１５が取付けられており、同内蓋体１５により開口部１３ａが収容体１３の内方から閉塞されている。当該内蓋体１５は、収容体１３の横幅方向の中間部で二部材に分割されており、図１中で左側にはコンプレッサー１２を操作するための操作盤１６が、右側には小物収容用蓋体１７が配設されている。
【００１４】
該操作盤１６は、その横幅が収容体１３の横幅よりも短い長四角板状をなす支持板１８と、同支持板１８の下面に取付けられた有底箱状をなす収納箱１９とを有している。この支持板１８は、収容体１３の内周面の全体に亘って環状に突設された係止突起２０により、下方から支持されている。この状態で同係止突起２０に支持板１８が複数のネジ２０ａで螺着されることにより、操作盤１６が収容体１３に固定されている。支持板１８の上面には各一対のタイマー２１及びスイッチ２２、電源コード２３、圧力計２４等が取付けられ、これらはそれぞれがコンプレッサー１２等に接続されている。そして、電源コード２３を電源に接続し、タイマー２１、スイッチ２２等を操作することにより、同操作に従ってコンプレッサー１２が駆動される。
【００１５】
支持板１８の前記収納箱１９と対応する位置には開口が形成されており、同開口を介して収納箱１９にはドライバー、ネジ等の小物を収納することが可能である。この収納箱１９の底壁には複数の小孔よりなる第１空冷孔１８ａが透設されている。また、支持板１８の内側部（図１中で右側）には複数の小孔よりなる第２空冷孔１８ｂが透設されている。コンプレッサー１２が駆動されたときには、その駆動熱により、収容体１３の内部で空気の対流が発生する。さらに、収容体１３内の空気がコンプレッサー１２に吸入されることにより当該収容体１３内が負圧となり、第１空冷孔１８ａ及び第２空冷孔１８ｂを介して収容体１３の内部と外部とで空気が循環される。そして、この循環する空気は、コンプレッサー１２を空冷するとともに、コンプレッサー１２に吸入される。なお、第２空冷孔１８ｂが第１空冷孔１８ａよりも上方に位置していることから、収容体１３の内部で熱せられた空気は第２空冷孔１８ｂから排気され、収容体１３の外部の冷たい空気は第１空冷孔１８ａから吸気されると考えられる。
【００１６】
支持板１８の上面において、正面側端部の一方の角部には吐出管２５が突設されている。同吐出管２５は、収容体１３の内部でその下端が圧縮空気を吐出するための前記コンプレッサー１２のエキゾーストパイプに接続されている。図４に示すように、携帯用配管洗浄装置の使用時には当該吐出管２５にホース５２の一端が接続されるとともに、同ホース５２の他端が蛇口５１に接続されて吐出管２５と蛇口５１との間が当該ホース５２で接続される。そして、吐出管２５からホース５２を介して蛇口５１に圧縮空気を送り込むことにより、同蛇口５１が接続された洗浄対象となる配管５３に圧縮空気が送り込まれる。この際、上水配管５４から同配管５３内への水の供給は停止されておらず、配管５３内を水が流通したままの状態でコンプレッサー１２から圧縮空気のみが送り込まれる。また、送り込まれた圧縮空気は、水と混合された状態で配管５３内を流通し、開放された他の蛇口５１から吐出される。
【００１７】
図１及び図２に示すように、前記小物収容用蓋体１７は、四角枠板状をなす点検蓋２６と、同点検蓋２６の下面に取付けられた箱状をなす小物収容箱２７とから形成されている。当該小物収容箱２７には前記ホース５２、延長用の電源コード等のような携帯用配管洗浄装置の使用時に必要とされる小物が収容されている。そして、当該小物収容用蓋体１７は点検蓋２６を介して収容体１３に対し着脱可能に取付けられている。
【００１８】
すなわち、図５（ａ），（ｂ）に示すように、点検蓋２６は、操作盤１６側となる内側縁を除き、両端縁及び外側縁が前記係止突起２０により下方から支持されている。点検蓋２６の内側縁部の下面からは係合突片２６ｂが突出形成されている。この係合突片２６ｂは操作盤１６の支持板１８の下方に潜り込むようにしてその上面が支持板１８の下面に当接されており、この状態で支持板１８に点検蓋２６が係合されている。また、点検蓋２６の外側縁部には一対のスライド孔２６ａが外方に向かって開口するように切り欠き形成されている。そして、当該スライド孔２６ａを介してネジ２０ａを係止突起２０に螺入し、締め付けることにより、点検蓋２６が収容体１３の係止突起２０に固定され、小物収容用蓋体１７が収容体１３に装着される。
【００１９】
これとは逆に、図６（ａ），（ｂ）に示すように、ネジ２０ａを緩め、点検蓋２６を収容体１３の外方（図６（ａ）中で右方向）へ移動させると、係合突片２６ｂによる支持板１８への点検蓋２６の係合が解除される。この状態で点検蓋２６の内側部（（図６（ａ）中で左側）を持ち上げ、ネジ２０ａと係止突起２０との間からスライド孔２６ａの周縁部分を引き抜くと、小物収容用蓋体１７が収容体１３から脱着される。
【００２０】
小物収容用蓋体１７が収容体１３から脱着された状態で収容体１３の開口部１３ａと操作盤１６の支持板１８の内側縁とに囲まれた内側には点検用開口２８が形成されている。この点検用開口２８は、前記収容体１３の開口部１３ａの一部を構成するものであり、同点検用開口２８を介して収容体１３の内部と外部とが連通されている。そして、点検用開口２８を開放した状態でレギュレータの確認、注油等のようなコンプレッサー１２の点検作業をコンプレッサー１２を収容体１３から取り出すことなく、操作盤１６を取付けたまま行うことが可能である。
【００２１】
前記携帯用配管洗浄装置の作用について以下に記載する。
さて、図４に示したように、携帯用配管洗浄装置を使用して配管５３の洗浄を行うときには、まずロック金具３１によるロックを解除し、収容体１３に対して外蓋体１４を開放状態とし、操作盤１６を外部に露出させる。次いで、吐出管２５と一方の蛇口５１との間をホース５２で接続し、操作盤１６のスイッチ２２等を操作してコンプレッサー１２を駆動させることにより、一方の蛇口５１に圧縮空気を送り込む。
【００２２】
このとき、上水配管５４から配管５３内に水を流通させると、同配管５３内で圧縮空気と水とが混合され、この圧縮空気と水とが混合されてなる混合水が配管５３内を流通する。この混合水が配管５３内を流通するとき、圧縮空気の衝撃波により、配管５３の内壁に付着した油分、錆、塵埃等の異物が除去され、水中に分散される。この状態で同配管５３に接続された他の蛇口５１を開放することにより、除去された異物が水中に分散された混合水が同蛇口５１から吐出され、配管５３の洗浄が行われる。そして、配管５３の洗浄後、携帯用配管洗浄装置は、収容体１３に対して外蓋体１４を閉塞状態とし、ハンドル部材３２を手で把持したり、ベルトを取付け、肩から掛けたり等して次の作業現場まで持ち運ばれ、上記のようにして再び洗浄作業が行われる。
【００２３】
上記のような洗浄作業中又はそれ以外でコンプレッサー１２の点検作業を行うとき、小物収容用蓋体１７が収容体１３から脱着され、点検用開口２８が開放される。点検用開口２８を開放するとき、図５（ａ），（ｂ）に示したように、まず点検蓋２６を係止突起２０に固定している一対のネジ２０ａが緩められ、収容体１３に対する小物収容用蓋体１７の固定が解除される。この後、小物収容用蓋体１７を収容体１３の外側方へスライドさせる。
【００２４】
すると、図６（ａ），（ｂ）に示したように、スライド孔２６ａがその内奥にネジ２０ａが配置される位置へと移動されるとともに、係合突片２６ｂによる支持板１８への点検蓋２６の係合が解除される。この状態で点検蓋２６の内側部を手で持ち上げ、ネジ２０ａと係止突起２０との間からスライド孔２６ａの周縁部分を引き抜くと、小物収容用蓋体１７が収容体１３から脱着され、点検用開口２８が開放される。そして、開放された点検用開口２８からコンプレッサー１２のレギュレータを目視したり、手を差し入れて注油したり等することにより、コンプレッサー１２の点検作業が行われる。
【００２５】
前記の実施形態によって発揮される効果について、以下に記載する。
・  実施形態の携帯用配管洗浄装置は、本体ケース１１にコンプレッサー１２が内装されて構成されている。そして、その使用時に配管５３の洗浄は、配管５３内を水が流通する状態で行われ、コンプレッサー１２から配管５３内へは圧縮空気のみが供給される。このため、本体ケース１１に内装するコンプレッサー１２を比較的小型のものとすることができる。従って、携帯用配管洗浄装置の軽量化及び小型化を図ることができ、同携帯用配管洗浄装置を使用者が携帯し、容易に持ち運びすることができる。
【００２６】
・  また、本体ケース１１は、コンプレッサー１２を収容する収容体１３と、同収容体１３の開口部１３ａを外方から閉塞する外蓋体１４と、開口部１３ａを内方から閉塞する内蓋体１５とから構成されている。この内蓋体１５は、収容体１３に固定されたコンプレッサー１２の駆動を操作するための操作盤１６と、小物収容用蓋体１７との二部材に分割されている。この小物収容用蓋体１７は収容体１３に対して簡易に着脱することができるように取付けられている。そして、小物収容用蓋体１７を収容体１３に対して脱着することにより、内蓋体１５には点検用開口２８が形成されるように構成されている。従って、コンプレッサー１２を収容する収容体１３が密閉されておらず、コンプレッサー１２の点検作業を、小物収容用蓋体１７を脱着するのみで簡易かつ迅速に行うことができる。
【００２７】
・  また、小物収容用蓋体１７は、収容体１３の点検用開口２８を閉塞する点検蓋２６と、同点検蓋２６の下面に取付けられた小物収容箱２７とから形成されている。この小物収容箱２７には使用時に必要となるホース５２、延長用の電源コード等の小物を収容することができるように構成されている。このため、当該小物収容用蓋体１７は、点検蓋２６により点検用開口２８を閉塞する機能に加え、さらに小物収容箱２７により小物を収容する機能を備えている。従って、本体ケース１１の余剰スペースを有効に活用して小物を本体ケース１１内に収納することができ、使用者は、携帯用配管洗浄装置を持ち運ぶ際に小物を携帯用配管洗浄装置とは別に手で持ち歩く必要がなく、携帯用配管洗浄装置の持ち運びをより簡易に行うことができる。
【００２８】
・  また、外蓋体１４は、下面に開口部を有する有蓋箱状に形成されており、収容体１３の開口部１３ａを外方から閉塞した状態で、収容体１３の上面よりも上方へ突出する吐出管２５、電源コード２３、スイッチ２２等をその内部に収容することができるように構成されている。従って、携帯用配管洗浄装置を持ち運ぶとき、吐出管２５、電源コード２３が引っ掛かって破損したり、スイッチ２２が切り換えられて誤動作を起こしたり等の不具合が発生することを防止することができる。
【００２９】
・  また、外蓋体１４の上面には携帯用配管洗浄装置を手で把持して持ち運ぶためのハンドル部材３２が取付けられている。従って、外蓋体１４を閉塞状態とし、ハンドル部材３２を手で把持することで携帯用配管洗浄装置の持ち運び、移動等をより簡易なものとすることができる。
【００３０】
・  また、収容体１３の両側外面にバックル３３を取付け、これらバックル３３にベルトを接続することができるように構成されている。従って、使用者は接続されたベルトにより、携帯用配管洗浄装置を肩に掛け、両手を空けた状態でさらに容易に持ち運ぶことができる。
【００３１】
なお、本実施形態は、次のように変更して具体化することも可能である。
・  実施形態の小物収容用蓋体１７と交換して、次のような機能を付与した蓋体を取り付けてもよい。すなわち、図７に示すように、小物収容用蓋体１７に代えて空冷用蓋体１７ａを取り付けてもよい。同空冷用蓋体１７ａは、四角板状をなす点検蓋２６に換気孔４１が透設されるとともに、同換気孔４１と対応する位置となる点検蓋２６の内面には空冷ファン４２が取付けられている。そして、空冷用蓋体１７ａは、点検用開口２８を閉塞する機能に加え、使用時には同空冷ファン４２を回転させ、外部からより多くの空気を取り込むことにより、コンプレッサー１２を空冷させる機能を有し、その空冷効率を向上させることができる。
【００３２】
一方、図８に示すように、小物収容用蓋体１７に代えて遠隔操作用蓋体１７ｂを取り付けてもよい。同遠隔操作用蓋体１７ｂは、四角板状をなす点検蓋２６の内面に遠隔操作用の制御装置４３が装着されるとともに、点検蓋２６の外面には同制御装置４３に電気的に接続されたコネクタ４４が取付けられている。そして、同コネクタ４４には外部からコンプレッサー１２を遠隔操作するためのコントローラー４５が接続されている。そして、遠隔操作用蓋体１７ｂは、点検用開口２８を閉塞する機能に加え、例えば床下、壁の間等のような狭い箇所に敷設された配管５３を洗浄するとき、使用者が広い場所からコントローラー４５で当該携帯用配管洗浄装置を遠隔操作する機能を有し、作業効率の向上を図ることができる。
【００３３】
あるいは、その他の蓋体として、例えば圧縮空気に研磨剤等の洗浄剤を混合させるための混合器を点検蓋２６に取付けて構成した洗浄剤混合用蓋体等としてもよい。
【００３４】
以上のように点検蓋が着脱可能に構成されているため、同点検蓋２６に様々な機能を付与して構成した蓋体を所望とする目的に応じて交換し、取付けることにより、携帯用配管洗浄装置の構成を大きく変えることなく、目的に応じた機能を簡易に付与することができる。また、一つの点検蓋２６に、例えば空冷ファン及び小物収容箱の両方を取付ける等して、複数種の機能を付与してもよい。
【００３５】
・  また、前に挙げたような、小物収容用蓋体１７、空冷用蓋体１７ａ及び遠隔操作用蓋体１７ｂのように点検蓋２６に様々な機能を必ずしも付与する必要はなく、収容体１３に対して着脱可能に構成され、点検用開口２８を閉塞する機能を備えているのであれば、点検蓋２６を四角板状に形成してもよい。
【００３６】
・  実施形態で示した第１空冷孔１８ａ及び第２空冷孔１８ｂのような、コンプレッサー１２の空冷及びコンプレッサー１２への空気の供給を目的とした空冷孔を内蓋体１５以外に収容体１３の各側壁又は底壁に透設してもよい。但し、内蓋体１５に空冷孔を設けた場合、不使用時にこれらが外蓋体１４で覆い隠され、塵埃等の異物が空冷孔へ入り込むことを防止することができるため、当該空冷孔は内蓋体１５に設けることが好ましい。
【００３７】
・  本体ケース１１を使用者が持ち運び可能な程度であれば、コンプレッサー１２を大型のものとしてもよい。
・  例えば、操作盤１６を構成する支持板１８をその横幅が収容体１３の横幅と同じ長さとなるように形成し、同支持板１８に点検用開口２８を透設し、この点検用開口２８を閉塞するように支持板１８の上面に点検蓋２６を着脱可能に取付ける等してもよい。
【００３８】
さらに、前記実施形態より把握できる技術的思想について以下に記載する。
・  前記点検蓋に前記ホースのような使用時に必要となる小物を収容するための小物収容箱、使用時にコンプレッサーを空冷するための空冷ファン及び使用時にコンプレッサーを遠隔操作するコントローラーを接続するためのコネクタのうちから選択される少なくとも１つを取付けることにより、点検用開口を閉塞する機能に加え、さらにこれらの機能が付与された複数種の蓋体を構成し、所望とする目的に応じて各蓋体を交換し、収容体に取付けることを特徴とする請求項１に記載の携帯用配管洗浄装置。このように構成した場合、携帯用配管洗浄装置の構成を大きく変えることなく、一部の構成を簡易に交換することで、小物の収容、コンプレッサーの空冷効率の向上又は遠隔操作の機能を付与することができる。
【００３９】
・  前記点検蓋に前記ホースのような使用時に必要となる小物を収容するための小物収容箱を取付けることにより、点検用開口を閉塞する機能に加え、さらに小物を収容する機能を備えた小物収容用蓋体を構成することを特徴とする請求項１に記載の携帯用配管洗浄装置。このように構成した場合、本体ケースの余剰スペースを有効に活用して小物を本体ケース内に収納してすることができ、携帯用配管洗浄装置の持ち運びをより簡易に行うことができる。
【００４１】
・  前記コンプレッサーからホースへ圧縮空気を送り込むために当該ホースが接続される吐出管を操作盤上に配置し、外蓋体により収容体の開口部を閉塞したとき、本体ケース内に吐出管が収容されるように構成したことを特徴とする請求項１から請求項３のいずれかに記載の携帯用配管洗浄装置。このように構成した場合、携帯用配管洗浄装置を持ち運ぶときに吐出管が破損することを防止することができる。
【００４２】
・  前記外蓋体の上面には使用者が本体ケースをその手で把持した状態で持ち運びするためのハンドル部を取付けたことを特徴とする請求項１から請求項３のいずれかに記載の携帯用配管洗浄装置。このように構成した場合、携帯用配管洗浄装置の持ち運び、移動等をより簡易なものとすることができる。
【００４３】
・  前記収容体の両側外面には使用者が本体ケースをその肩に掛けた状態で持ち運びするための帯状をなすベルトを、本体ケースの上方を迂回するようにして着脱可能に取付けたことを特徴とする請求項１から請求項３のいずれかに記載の携帯用配管洗浄装置。このように構成した場合、携帯用配管洗浄装置をさらに容易に持ち運びすることができる。
【００４４】
【発明の効果】
以上詳述したように、この発明によれば、次のような効果を奏する。
請求項１に記載の発明によれば、使用者が携帯し、容易に持ち運びすることができるとともに、コンプレッサーの点検作業を簡易かつ迅速に行うことができる。また、携帯用配管洗浄装置を持ち運ぶときに操作盤が外蓋体内に収容され、操作盤を保護することができる。
【００４５】
請求項２に記載の発明によれば、請求項１に記載の発明の効果に加えて、コンプレッサーの空冷効率を向上させることができる。
請求項３に記載の発明によれば、請求項１に記載の発明の効果に加えて、作業効率の向上を図ることができる。
【図面の簡単な説明】
【図１】外蓋体を開放状態とした携帯用配管洗浄装置を示す平面図。
【図２】図１の２−２線における断面図。
【図３】（ａ）は外蓋体を閉塞状態とした実施形態の携帯用配管洗浄装置を示す正面図、（ｂ）はその側面図。
【図４】携帯用配管洗浄装置により配管を洗浄する状態を示す概念図。
【図５】（ａ）は小物収容用蓋体が装着された状態を示す平面図、（ｂ）はその５ｂ−５ｂ線における断面図。
【図６】（ａ）は小物収容用蓋体を脱着する状態を示す平面図、（ｂ）はその６ｂ−６ｂ線における断面図。
【図７】別形態の空冷用蓋体を装着した状態を示す平面図。
【図８】別形態の遠隔操作用蓋体を装着した状態を示す平面図。
【符号の説明】
１１…本体ケース、１２…コンプレッサー、１３…収容体、１３ａ…開口部、１４…外蓋体、１５…内蓋体、１６…操作盤、１７ａ…空冷用蓋体、１７ｂ…遠隔操作用蓋体、２６…点検蓋、２８…点検用開口、４２…空冷ファン、４４…コネクタ、４５…コントローラー、５２…ホース、５３…配管。
【図１】
0003616066.tif 000002
【図２】
0003616066.tif 000003
【図３】
0003616066.tif 000004
【図４】
0003616066.tif 000005
【図５】
0003616066.tif 000006
【図６】
0003616066.tif 000007
【図７】
0003616066.tif 000008
【図８】
0003616066.tif 000009